(57)【特許請求の範囲】
【請求項１】
後面を備えない直方体形状の収納部と、この収納部の前面上部を貫通して前方に突出する矩形筒状の投入部と、からなる鋼板製の郵便箱本体を門塀の切欠部に挿入して固定される埋込式郵便箱であって、
前記郵便箱本体は少なくとも第一の平板と第二の平板を用いて形成され、この第一の平板と第二の平板の対向するそれぞれの一辺に前記投入部の頂面・両側面に対応する領域でコ字状の端部を形成し、それぞれの端部が差込まれて前記第一の平板と第二の平板が圧着連結された後折り曲げて前記郵便箱本体が形成されることを特徴とする埋込式郵便箱。
【請求項２】
請求項１に記載の埋込式郵便箱であって、前記第一の平板は前記投入部の頂面・両側面とともに底面を備え、前記第二の平板は前記収納部の頂面・両側面とともに底面と前面を備えることを特徴とする埋込式郵便箱。
【請求項３】
請求項１に記載の埋込式郵便箱であって、前記圧着連結された前記第一の平板と前記第二の平板を折り曲げて形成される前記投入部及び前記収納部のそれぞれ頂面・両側面から成る郵便箱本体上部材と、第三の矩形平板をＺ字状に二箇所折り曲げて前記投入部の底面と前記収納部の前面・底面から成る郵便箱本体下部材を形成し、前記郵便箱本体上部材と前記郵便箱本体下部材を連結して前記郵便箱本体が形成されることを特徴とする埋込式郵便箱。
【発明の詳細な説明】
【技術分野】
【０００１】
本発明は、埋込式郵便箱に関し、詳しくは、門塀に埋め込まれる埋込式郵便箱の強度を向上させる技術に関するものである。
【背景技術】
【０００２】
従来、門塀に設置される埋込式郵便箱として、例えば、特許文献１の内容が知られている。
【０００３】
図８（ａ）に示すように、特許文献１の埋込式郵便箱３０の郵便箱本体３０ａは投入部３１と収納部３２により側面視で逆Ｌ字形状に構成され、この収納部３２が門塀３３の裏面側に対向するように門塀３３の切欠部３３ａに投入部３１が埋め込まれる。
【０００４】
そして、収納部３２と門塀３３との隙間を埋めるためにスペーサー４０を用いて、図示しない固着具で収納部３２が門塀３３に固定される。
【０００５】
前記収納部３２の後面３２ａには蓋付きの取出口３４を備え、投入部３１の前面３１ａは前記門塀３３の表面側に露出するとともに蓋付きの口金部３５を備えている。
【０００６】
図８（ｂ）、（ｃ）に示すように、郵便箱本体３０ａの前記投入部３１と前記収納部３２は、互いの側面３１ｂ、３２ｂと互いの頂面Ｐ１、Ｐ２が連続して形成される。
【０００７】
郵便箱本体３０ａの製作方法は、前記投入部３１及び前記収納部３２のそれぞれの側面３１ｂ、３２ｂと頂面Ｐ１、Ｐ２を連続して折り曲げて郵便箱本体上部材３０ｂを製作し、前記投入部３１の底面３１ｃと前記収納部３２の前面３２ｃ・底面３２ｄから成るＺ字状の郵便箱本体下部材３０ｃを製作し、この前記郵便箱本体上部材３０ｂと前記郵便箱本体下部材３０ｃを連結して前記郵便箱本体３０ａが製作される。
【特許文献１】実開平７−３０８６０号公報
【発明の開示】
【発明が解決しようとする課題】
【０００８】
ところが、図９に示すように、郵便箱本体３０ａ上部の矢印で示す門塀３３のブロックの重みにより時間の変化によって収納部３２の頂面Ｐ２に凹みＱが発生するため、郵便箱本体３０ａの外観が損なわれるともに、頂面Ｐ２に雨水が溜り水垢が発生するので美観が損なわれるという問題があった。
【０００９】
そこで、本発明はかかる従来技術の問題に鑑みなされたものであり、郵便箱本体の頂面の補強が容易にできる埋込式郵便箱の構造を提供することを目的とする。
【課題を解決するための手段】
【００１０】
請求項１の発明は、後面を備えない直方体形状の収納部と、この収納部の前面上部を貫通して前方に突出する矩形筒状の投入部と、からなる鋼板製の郵便箱本体を門塀の切欠部に挿入して固定される埋込式郵便箱であって、前記郵便箱本体は少なくとも第一の平板と第二の平板を用いて形成され、この第一の平板と第二の平板の対向するそれぞれの一辺に前記投入部の頂面・両側面に対応する領域でコ字状の端部を形成し、それぞれの端部が差込まれて前記第一の平板と第二の平板が圧着連結された後折り曲げて前記郵便箱本体が形成されることを特徴としている。
【００１１】
請求項２の発明は、請求項１に記載の埋込式郵便箱であって、前記第一の平板は前記投入部の頂面・両側面とともに底面を備え、前記第二の平板は前記収納部の頂面・両側面とともに底面と前面を備えることを特徴としている。
【００１２】
請求項３の発明は、請求項１に記載の埋込式郵便箱であって、前記圧着連結された前記第一の平板と前記第二の平板を折り曲げて形成される前記投入部及び前記収納部のそれぞれ頂面・両側面から成る郵便箱本体上部材と、第三の矩形平板をＺ字状に二箇所折り曲げて前記投入部の底面と前記収納部の前面・底面から成る郵便箱本体下部材を形成し、前記郵便箱本体上部材と前記郵便箱本体下部材を連結して前記郵便箱本体が形成されることを特徴としている。
【発明の効果】
【００１３】
請求項１記載の発明によれば、前記埋込式郵便箱の郵便箱本体は少なくとも第一の平板と第二の平板を用いて形成され、この第一の平板と第二の平板の対向するそれぞれの一辺に前記投入部の頂面・両側面に対応する領域でコ字状の端部を形成し、それぞれの端部が差込まれて前記第一の平板と第二の平板が圧着連結されるので、この端部が複数枚の板材が重なって形成されることで頂面の面剛性が補強されるため郵便箱本体の頂面に凹みが発生しない構造を容易に得ることができる。
【００１４】
また、前記第一の平板と第二の平板が平板の状態でそれぞれのコ字状の端部が差込まれて圧着連結されるので、コ字状の端部の差込みと圧着連結が確実且つ容易に実施できて郵便箱本体の成形性にも優れる。
【００１５】
請求項２記載の発明によれば、前記第一の平板は前記投入部の頂面・両側面とともに底面を備え、前記第二の平板は前記収納部の頂面・両側面とともに底面と前面を備えるので、二枚の平板だけで郵便箱本体が形成できる。このため、当該面を連結する作業が減少してその部分が折り曲げ作業となるので作業効率が向上する。
【００１６】
請求項３記載の発明によれば、前記圧着連結された前記第一の平板と前記第二の平板を折り曲げて形成される郵便箱本体上部材に、第三の矩形平板をＺ字状に二箇所折り曲げて成る郵便箱本体下部材を連結して前記郵便箱本体が形成されるので、請求項１記載の発明と同様の効果が得られる。
【発明を実施するための最良の形態】
【００１７】
＜本発明の第１の実施形態＞
以下に、本発明の第１の実施形態を図１〜図５に基づいて説明する。
【００１８】
＜埋込式郵便箱の構成＞
図1、図２に示すように、本発明の埋込式郵便箱１の郵便箱本体２は、後面を備えない直方体形状の収納部３と、この収納部３の前壁上部３ａを貫通して前方に突出する矩形筒状の投入部４とで構成される。
【００１９】
そして、郵便箱本体２の投入部４の前壁４ａに口金部５と、収納部３の後壁３ｂに取出し口６を備え、口金部５と取出し口６には郵便物等を投入したり取出したりするためのスイング式の扉５ａ、６ａが設けられる。
【００２０】
ここで、投入部４の両側面４ｂと頂面４ｃに設けられるコ字状端部Ｇ１と、収納部３のそれぞれの両側面３ｄと頂面３ｆのコ字状端部Ｇ１に対応する領域に形成されるコ字状端部Ｇ２を互いに差込んで圧着することにより投入部４と収納部３は連結される。
【００２１】
郵便箱本体２を門塀８に固着する方法は、投入部４を門塀８のブロック８ａを一部刳り貫いた切欠部８ｂに挿入した状態で、収納部３をアンカーボルト等の固着具９により門塀８の裏面８ｃに固着することにより固着される。
【００２２】
ここで、ブロック８ａの形状は、例えば、幅４００ｍｍ、高さ２００ｍｍで、厚み１５０ｍｍのブロックが使用される。ここで、郵便箱本体２の投入部４がこのブロックに挿入できる寸法で形成されるので、投入部４の幅Ｌ＝略４００ｍｍ、高さＨ＝略９５ｍｍ、突出長さＦ＝略１５０ｍｍである。収納部３は幅Ｌ＝略４００ｍｍ、高さＭ＝略２００ｍｍであり、厚みＮ＝略２００ｍｍ〜３００ｍｍに形成される。
【００２３】
図３に示すように、コ字状端部Ｇ１は、投入部４の頂面４ｃの端部４ｄから内側に９０度折れ曲がる垂直部４ｅと、この垂直部４ｅの先端４ｆから頂面４ｃと平行に延設される第一の水平部４ｇと、この第一の水平部４ｇの先端４ｈで外側にＵ字形に折返して第一の水平部４ｇに平行な第二の水平部４ｋとで形成される。
【００２４】
コ字状端部Ｇ２は、収納部３の頂面３ｆと、その端部３ｇから内側にＵ字形に折返し頂面３ｆに平行な第三の水平部３ｈとで形成される。コ字状端部Ｇ１とコ字状端部Ｇ２のＵ字形の隙間はそれぞれ一枚分の板厚Ｔと略同じ隙間で形成される。
【００２５】
そして、コ字状端部Ｇ１とコ字状端部Ｇ２が互いに差し込まれた後、カシメることによって固着される。コ字状端部Ｇ１とコ字状端部Ｇ２の重なった部分は郵便箱本体２の外側面が面一となるように形成される。
【００２６】
＜郵便箱本体２の組立て方法＞
図４、図５に示すように、郵便箱本体２は、まず、第一の平板１１の一辺１１ａに投入部４の両側面４ｂと頂面４ｃが対応する領域にコ字状端部Ｇ１を形成する。そして、第二の平板１２の一辺１２ａのコ字状端部Ｇ１に対応する領域に、コ字状端部Ｇ２を収納部３の両側面３ｄと頂面３ｆに形成する。第一の平板１１と第二の平板１２はコ字状端部Ｇ１とコ字状端部Ｇ２を互いに差し込みカシメることによって連結される。
【００２７】
そして、コ字状端部Ｇ１とコ字状端部Ｇ２を介して連結された第一の平板１１と第二の平板１２を二箇所で９０度に一体的に折り曲げることで、郵便箱本体上部材１３が形成される。
【００２８】
なお、投入部４の両側面４ｂの下端に該当する場所に投入部４の底面Ｓ１用の固着部Ｔ１を備える。収納部３の両側面３ｄの下端に該当する場所に収納部３の底面Ｓ２の固着部Ｔ２と、両側面３ｄの前端に該当する場所に収納部３の前面Ｓ３の固着部Ｔ３を備える。
【００２９】
つぎに、側面視Ｚ字状の郵便箱本体下部材１４を矢印Ｐのように固着部Ｔ１、Ｔ２、Ｔ３に連結することで、投入部４の底面Ｓ１と収納部３の前面Ｓ３・底面Ｓ２が形成されて郵便箱本体２が完成する。
【００３０】
埋込式郵便箱１の郵便箱本体２の材料は、亜鉛鋼板又はＳＵＳ３０４ステンレス鋼の薄肉材、口金部５はアルミダイカスト又は樹脂製が用いられる。
【００３１】
＜埋込式郵便箱の作用＞
上記のように、予め、投入部４と収納部３が平面状の状態でそれぞれの両側面４ｂ・頂面４ｃと両側面３ｄ・頂面３ｆの端部を互いに差込んで固着してから折り曲げ加工するので、コ字状端部Ｇ１とコ字状端部Ｇ２の差込とカシメが確実且つ容易となるため作業が省力化ができる。また、スタッドウェルト゛やリベットが不要なのでコストダウンが図れる。
【００３２】
コ字状端部Ｇ１とコ字状端部Ｇ２が互いに挿入して組み込まれた部分は、合計４枚分の板厚になる。このため、コ字状端部Ｇ１とコ字状端部Ｇ２が重なる部分の面剛性の増加は４枚分の板厚の略三乗に比例すると考えられるので、４３＝６４となり強度は略６４倍に増加するため特別な他の強度材による補強が不要になる。
【００３３】
この結果、投入部４の頂面４ｃ及び収納部３の頂面３ｆの全域の面剛性増加に繋がるので、頂面４ｃ、頂面３ｆの凹みの発生をなくすことができる。
【００３４】
なお、固着部Ｔ１、Ｔ２、Ｔ３においては、従来のスタッドウェルト゛やリベットや接着剤等によって固着される。
【００３５】
＜本発明の第２の実施形態＞
本発明の第２の実施形態を図６を用いて説明するが、図２に示す構成と同構成部分については、図面に同符号を付して重複した説明を省略する。
【００３６】
図６に示すように、郵便箱本体１６のコ字状端部Ｇ１とコ字状端部Ｇ２がブロック８ａの内部に位置し、収納部３の前面Ｓ３はモルタル２０とタイル２１が形成される。
【００３７】
この場合、前記第一の平板１１を前記投入部４の突出長さＦに合わせて切り揃えるだけの簡単な平板調整により、収納部３と門塀８との間に隙間が発生しないようにできる。そして、隙間を埋めるスペーサーが不要になり外観も良くなるので品質性が向上する。
【００３８】
このように、収納部３が共通化されて投入部４の突出長さＦ寸法を変更するだけで様々な郵便箱本体１６が容易に製作できるので、在庫が減りコストを下げることができる。
【００３９】
また、ブロック８ａの経年変化による歪をコ字状端部Ｇ１とコ字状端部Ｇ２で直接的に受持つので、本発明の第１の実施形態に比べて、コ字状端部Ｇ１とコ字状端部Ｇ２が重なる部分の面剛性の貢献度が直接的なので凹みの発生をなくす効果が得られる。
【００４０】
＜本発明の第３の実施形態＞
本発明の第３の実施形態を図７を用いて説明するが、図４に示す構成と同構成部分については、図面に同符号を付して重複した説明を省略する。
【００４１】
図７に示すように、第一の平板２３の一辺２３ａと第二の平板２４の一辺２４ａを矢印で示すように当接してコ字状端部Ｇ１とコ字状端部Ｇ２で互いに差し込み固着した後に折り曲げ形成される。
【００４２】
第一の平板２３には投入部４の片側面４ｂの固着部Ｔ１の代わりに底面Ｓ１が連結される。第二の平板２４には収納部３の片側面３ｄの固着部Ｔ２の代わりに底面Ｓ２と、この底面Ｓ２にさらに前面Ｓ３が連結される。
【００４３】
このため、第一の平板２３と第二の平板２４の二枚板だけで郵便箱本体が形成されるので在庫管理が更に簡素化できる。
【００４４】
以上、本発明の実施形態を図面に基づいて説明したが、上記の実施例はいずれも本発明の一例を示したものであり、本発明はこれらに限定されるべきでないということは言うまでもない。
【００４５】
たとえば、投入部と収納部の端部のそれぞれの両側面と頂面に亘る領域に設けられるコ字状端部Ｇ１とコ字状端部Ｇ２は両側面と頂面の内側面が同一平面状に形成される構成でも構わない。
【図面の簡単な説明】
【００４６】
【図１】本発明の第１の実施形態における、埋込式郵便箱１の郵便箱本体２と門塀８との取付位置関係を示す斜視図である。
【図２】本発明の第１の実施形態における、図１のＡ−Ａ矢視図である。
【図３】本発明の第１の実施形態における、図１のＢ−Ｂ側面図である。
【図４】本発明の第１の実施形態における、第一の平板と第二の平板が平板状態でそれぞれのコ字状の端部が差込まれて圧着連結された状態を示す斜視図である。
【図５】本発明の第１の実施形態における、第一の平板と第二の平板がコ字状の端部が差込まれた状態で折り曲げられて成る郵便箱本体上部材と、郵便箱本体下部材としての側面視Ｚ字状の塞ぎ板を連結する状態を示す斜視図である。
【図６】本発明の第２の実施形態における、郵便箱本体１６と門塀８との取付位置関係を示す側面図である。
【図７】本発明の第３の実施形態における、第一の平板２３と第二の平板２４が平板状態でそれぞれのコ字状の端部が差込まれる状態を示す斜視図である。
【図８】従来例における、（ａ）は郵便箱本体３０ａと門塀３３との取付位置関係を示す側面図、（ｂ）は郵便箱本体３０ａの斜視図、（ｃ）は郵便箱本体３０ａの組立図である。
【図９】従来例における、門塀３３に取付られた郵便箱本体３０ａを門塀の裏側から見た状態を示す斜視図である。
【符号の説明】
【００４７】
１  埋込式郵便箱
２  郵便箱本体
３  収納部
３ａ  前壁上部
３ｄ  側面
３ｆ  頂面
４  投入部
４ｂ  側面
４ｃ  頂面
Ｇ１  コ字状端部
Ｇ２  コ字状端部
１１  第一の平板
１２  第二の平板
【図１】
0004797798.tif 000002
【図２】
0004797798.tif 000003
【図３】
0004797798.tif 000004
【図４】
0004797798.tif 000005
【図５】
0004797798.tif 000006
【図６】
0004797798.tif 000007
【図７】
0004797798.tif 000008
【図８】
0004797798.tif 000009
【図９】
0004797798.tif 000010